(57)【特許請求の範囲】
【請求項１】
各種異サイズ紙幣の投入・取り出しを行う入出金口と、紙幣の判別を行う紙幣判別部と、入金した紙幣を取引成立までの間一旦収納する一時保管庫と、入金時取引が成立した紙幣を収納する入金庫と、出金用の紙幣を収納する出金庫と、入出金兼用の紙幣収納放出庫とを備えた紙幣入出金装置において、
前記紙幣収納放出庫が前記紙幣入出金装置から取り外されている際には、前記紙幣収納放出庫内の紙幣の幅方向の移動を規制保持する整列機構が異なる二つ以上の幅寸法を形成しており、前記紙幣収納放出庫が前記紙幣入出金装置に装着されている際には、前記整列機構の幅寸法が一律になることを特徴とした紙幣入出金装置。
【請求項２】
請求項１記載の紙幣入出金装置において、
前記整列機構は階段状の可動底面と固定底面とから成り、前記紙幣収納放出庫が前記紙幣入出金装置から取り外されている際には、前記階段状部分が紙幣の幅方向移動を規制保持し、前記紙幣収納放出庫が前記紙幣入出金装置に装着されている際には、前記可動底面の階段状の角部分が前記固定底面と同じ高さの平面となることを特徴とする紙幣入出金装置。
【発明の詳細な説明】
【０００１】
【発明の属する技術分野】
本発明は入金紙幣を出金紙幣として活用する紙幣入出金装置に関する。
【０００２】
【従来の技術】
例えば金融機関等で使用されるＡＴＭにおける紙幣入出金機には、入金紙幣を収納し、出金時には出金紙幣として放出する、いわゆる紙幣を還流利用する、紙幣収納放出庫が備えられている。
【０００３】
紙幣収納放出庫の側壁幅と紙幣寸法に差があった場合に紙幣収納放出庫内で紙幣を整列させるものとして、特開２０００−１４３０７４号公報に記載の装置がある。この公報には、紙幣収納時には整列ガイドを突出させ紙幣収納放出庫の側壁幅を紙幣寸法にあわせることで紙幣を整列させて収納し、紙幣放出時には紙幣放出の障害にならないように整列ガイドを待避させる構造が開示されている。
【０００４】
【発明が解決しようとする課題】
ＡＴＭ等の普及に伴い、紙幣入出金機は従来の機能や性能を確保しながら、小型、低コスト、使いやすさに対するニーズがますます高まっている。一方、取扱う紙幣は、国内での外国紙幣の取扱いの増加や、国外での紙幣入出金機のニーズの高まりに伴い、日本円紙幣だけでなく、外国紙幣も取扱える装置が求められている。
【０００５】
ところで、外国紙幣の取扱いに際しては、次の点を考慮する必要がある。
すなわち、金種の数が日本円紙幣の場合より増えるだけでなく、紙幣寸法が金種によって長辺、短辺とも大きく異なる場合が多い。寸法が大きく異なる紙幣を同一機で扱う場合、寸法が大きい紙幣に対応して搬送路の幅を大きくする必要があり、従って、寸法が小さい紙幣は幅の大きい搬送路で搬送しなくてはならなくなる。それに伴い、寸法の小さい紙幣を収納する紙幣収納放出庫の取込放出口及び側壁の幅も搬送路と同様に大きくならざるを得ない。その結果、紙幣収納放出庫の側壁幅と紙幣寸法の差は従来のものよりも大きくなる。
【０００６】
紙幣収納放出庫には、単一寸法（一金種用）用と多種寸法（多金種）との二種を想定しなくてはならない。
単一寸法用は一金種だけが収納されるが紙幣収納放出庫の側壁幅は紙幣寸法の横幅よりも大きくとっているため、係員が紙幣放出庫を持ち運ぶとき、紙幣が放出庫内で動いてしまう。
また、多種寸法用は紙幣収納放出庫の側壁幅を最も大きい紙幣の横幅に合わせているため、それよりも小さい幅の紙幣がやはり放出庫内で動いてしまう。
【０００７】
このように、紙幣の寸法と紙幣収納放出庫の側壁幅の差が大きいと、紙幣が紙幣収納放出庫内で不整列に集積され易く、また、係員等が紙幣収納放出庫の運搬時などに紙幣収納放出庫内で乱れ、紙幣収納放出庫を紙幣入出金機に装着しても紙幣が正しく放出されなくなる。
【０００８】
しかしながら、上記従来例では、紙幣収納放出庫の運搬時等における紙幣収納放出庫内の紙幣の整列性確保が考慮されていなかった。
【０００９】
本発明の目的は、寸法の大きく異なる紙幣を同一機で扱う装置に装着する紙幣カセット、特に、紙幣の入出金を行う紙幣収納放出庫に関するもので、紙幣収納放出庫に紙幣を収納する際、また、紙幣がセットされている状態で紙幣収納放出庫を運搬する際に、紙幣の整列性を保ち、安定した収納、放出動作を確保することができる紙幣入出金装置を提供することにある。
【００１０】
【課題を解決するための手段】
上記目的は各種異サイズ紙幣の投入・取り出しを行う入出金口と、紙幣の判別を行う紙幣判別部と、入金した紙幣を取引成立までの間一旦収納する一時保管庫と、入金時取引が成立した紙幣を収納する入金庫と、出金用の紙幣を収納する出金庫と、入出金兼用の紙幣収納放出庫とを備えた紙幣入出金装置において、
前記紙幣収納放出庫が前記紙幣入出金装置から取り外されている際には、前記紙幣収納放出庫内の紙幣の幅方向の移動を規制保持する整列機構が異なる二つ以上の幅寸法を形成しており、前記紙幣収納放出庫が前記紙幣入出金装置に装着されている際には、前記整列機構の幅寸法が一律になることにより達成される。
【００１１】
また上記目的は、前記整列機構は階段状の可動底面と固定底面とから成り、前記紙幣収納放出庫が前記紙幣入出金装置から取り外されている際には、前記階段状部分が紙幣の幅方向移動を規制保持し、前記紙幣収納放出庫が前記紙幣入出金装置に装着されている際には、前記可動底面の階段状の角部分が前記固定底面と同じ高さの平面となることにより達成される。
【００１３】
【発明の実施の形態】
以下、本発明の一実施例の形態を図を参照して詳細に説明する。
【００１４】
図１２は、本発明を適用した現金自動取引装置の外観を示す斜視図である。装置の本体筐体１０１の上部には、筐体１０１の上部正面板１０１ｂに設けられたカードスロット１０２ａと連通し利用者のカードを処理し、取引明細票を印字して放出するカード・明細票処理機構１０２と、通帳スロット１０３ａと連通し利用者の通帳を処理する通帳処理機構１０３とを備えている。
【００１５】
また、本体筐体１０１の下部には、紙幣を処理する紙幣入出金機構１を備えており、中間部には、取引の内容を表示および入力する顧客操作部１０５が設けられている。１０６は現金自動取引装置全体の制御を司る本体制御部である。
【００１６】
図１３は、本装置の制御関係を示すブロック図である。前述のように、本体筐体１０１に納められたカード・明細票処理機構１０２、通帳処理機構１０３、紙幣入出金機構１および顧客操作部１０５は、バス１０６ａを介して本体制御部１０６と接続されており、本体制御部１０６の制御の下に必要な動作を行う。本体制御部１０６は、上記の他に、インタフェース部１０６ｂ、係員操作部１０６ｃ、外部記憶装置１０６ｄともバス１０６ａで接続されており、必要なデータのやりとりを行うが、本発明の特徴には直接関係がないので詳細な説明は省略する。１０１ｄは、上記各機構、構成部分に電力を供給する電源部である。
【００１７】
図１４は、図１２の現金自動取引装置の中の紙幣入出金機構１の構成を示す側面図である。
【００１８】
紙幣入出金機構１は、利用者が紙幣の投入・取り出しを行う入出金口２と、紙幣の判別を行う紙幣判別部３と、入金した紙幣を取引成立までの間一旦収納する一時保管庫４と、入金時取引が成立した紙幣を収納する１ヶの入金庫６と、出金用の紙幣を収納する１ヶの出金庫７と、入出金兼用の１ヶの紙幣収納放出庫８と、入金庫に収納しない入金紙幣や、出金庫から繰り出された紙幣のうち出金しない紙幣を収納するリジェクト庫９（言い換えれば判別部で判別不可能な紙幣を収納する庫）と、紙幣判別部３を通り、入出金口２、一時保管庫４、入金庫６、出金庫７、紙幣収納放出庫８、リジェクト庫９に対し、紙幣を搬送する紙幣搬送路５と、制御部１０とから構成される。尚、各ユニットの数は用途により任意に変更できる。制御部１０は、装置の本体制御部１０６からの指令および紙幣入出金機構１の状態検出に応じて紙幣入出金機構１の制御を行い、また、紙幣入出金機構１の状態を、必要に応じて本体制御部１０６に送る。
【００１９】
図１５に示すように、制御部１０は装置の本体制御部１０６とバス１０６ａを介して接続され、本体制御部１０６からの指令および紙幣入出金機構１の状態検出に応じて紙幣入出金機構１の制御を行い、また、紙幣入出金機構１の状態を、必要に応じて本体制御部１０６に送る。紙幣入出金機構１の中では、各ユニット（入出金口２、紙幣判別部３、一時保管庫４、紙幣搬送路５、入金庫６、出金庫７、紙幣収納放出庫８、リジェクト庫９）の駆動モータや電磁ソレノイドやセンサと接続され、取引に応じて、センサで状態を監視しながら、アクチュエータを駆動制御する。
【００２０】
次に、紙幣入出金機構１の動作図１２〜図１５に基づいて説明する。
【００２１】
入金取引時には、入出金口２に投入された紙幣を一枚ずつに分離し、紙幣判別部３で紙幣の金種、真偽を判定し、一時保管庫４に一旦収納する。但し、紙幣判別部３で判別できなかった紙幣や、傾きや間隔が異常となった紙幣は、紙幣判別部３から搬出した後、入金リジェクト紙幣として入出金口２方向へ分岐させ入出金口２に収納し利用者に返却する。
【００２２】
入金取引の取引成立後は、紙幣を一時保管庫４から搬出し、紙幣判別部３で再度金種、真偽を判定し、入金庫６、紙幣収納放出庫８、リジェクト庫９のいずれかに収納する。
【００２３】
出金時には、出金庫７、紙幣収納放出庫８の各金種毎の金庫から出金紙幣を所定の枚数づつ繰り出し、紙幣判別部３で判別し、入出金口２に収納し利用者に支払う。出金リジェクトが発生した場合には、その紙幣を、リジェクト庫９に収納し、不足分の紙幣を追加して繰り出す。
【００２４】
以下、紙幣入出金機構１に実装される、本発明を備えた紙幣収納放出庫８の構成を図１、図３を用いて説明する。ただし、図１は一種類の紙幣サイズ（一金種）を収納する紙幣収納放出庫である。
尚、紙幣収納放出庫８は、紙幣入出金機構１に複数個実装可能であるが、本実施の一形態では紙幣入出金機構１に１ケ実装して説明する。
【００２５】
また、図２、図３は複数種類の紙幣サイズ（多金種）を収納する紙幣収納放出庫である。図２の紙幣収納放出庫８は、図１の紙幣収納放出個と同じように紙幣入出金機構１に複数個実装可能であるが、本実施例では紙幣入出金機構１に１ケ実装して説明する。
尚、図３は図１の紙幣収納放出庫と図２の紙幣収納放出庫と共通するので共用した。
【００２６】
図１、図３において、この紙幣収納放出庫８は、紙幣を立位状態で収納し、また、分離繰り出しのできる金庫である。
【００２７】
紙幣の取込放出口は、スタック・フィードローラ８０１と、ピックアップローラ８１１と、従動回転するバックアップローラ８０２と、収納方向に回転し、繰り出し方向には回転しないゲートローラ８０３と、ゲートローラ８０３と同一軸上にあって可撓性の押込み部材が放射状に配置されたブラシローラ８０４と、分離時とスタック時で位置が変化する分離・スタックガイド８０５と、透過センサ（紙幣残留検出センサ）８８８ａ、８８８ｂで構成する。
【００２８】
尚、ブラシローラ８０４は後述する紙幣放出動作を実現するため、約半周分のみしかシートを有していない。また、ピックアップローラ８１１はスタック・フィードローラ８０１と同期駆動し、さらに、ブラシローラ８０４はスタック・フィードローラ８０１に対して逆転駆動する構成であり、駆動源の共用化を図っている。尚、ブラシローラ８０４は１方向クラッチを介してスタック・フィードローラ８０１と連結しており、紙幣放出時にブラシローラ８０４は回転しない。尚、１方向クラッチとは、一方の方向には回転自由であるが、逆の方向には回転しないクラッチであり、図１では、時計方向には回転するが、反時計方向には回転しない。
【００２９】
また、紙幣を収納する空間は、底板８０８と、底板８０８より上面で紙幣下面を支持するように懸架された底面ベルト８０７と、押板８０６と、分離・スタックガイド８０５と、ストッパ８１０（天板）と、側壁８１３で形成する。尚、ストッパ８１０は紙幣の上端を規制するものであり、紙幣の寸法に応じて、上部紙幣支持部材８１２と一体で上下方向に調整可能である。
【００３０】
また、側壁８１３も紙幣の寸法に合わせて取り付け位置の設定ができる。側壁８１３の幅は、紙幣の幅方向寸法より２ｍｍ〜１０ｍｍ程度大きい値に設定するのが適当である。このように調整することで、寸法の小さい紙幣でも紙幣収納放出庫８内に安定して収納することができる。このように設定する場合、寸法が比較的小さい紙幣を収納する紙幣収納放出庫８内の側壁８１３の幅は、収納する紙幣の幅方向寸法より大きく、入出金口２の幅より小さくなることになる。
【００３１】
さらに、上部紙幣支持部材８１２を分離・スタックガイド８０５の上部と入り組むように配置し、下部紙幣支持部材８０９を上部紙幣支持部材８１２のほぼ真下に配置する。そして、上部紙幣支持部材８１２、下部紙幣支持部材８０９は、図示しない駆動源により、押板８０６、底面ベルト８０７と連動して紙幣の集積方向に回転する構造をもつ。但し、上部紙幣支持部材８１２は１方向クラッチを介して押板８０６、底面ベルト８０７と連結している。そのため、上部紙幣支持部材８１２は紙幣放出時に自由に回転することができる。
【００３２】
図２、図３において、紙幣の取込放出口は、スタック・フィードローラ８０１と、ピックアップローラ８１１と、従動回転するバックアップローラ８０２と、収納方向に回転し、繰り出し方向には回転しないゲートローラ８０３と、ゲートローラ８０３と同一軸上にあって可撓性の押込み部材が放射状に配置されたブラシローラ８０４と、分離時とスタック時で位置が変化する分離・スタックガイド８０５とで構成する。
【００３３】
尚、ブラシローラ８０４は紙幣放出動作を実現するため、約半周分のみしかシートを有していない。また、ピックアップローラ８１１はスタック・フィードローラ８０１と同期駆動し、さらに、ブラシローラ８０４はスタック・フィードローラ８０１に対して逆転駆動する構成であり、駆動源の共用化を図っている。  尚、ブラシローラ８０４は１方向クラッチを介してスタック・フィードローラ８０１と連結しており、紙幣放出時にブラシローラ８０４は回転しない。
更に、１方向クラッチとは、一方の方向には回転自由であるが、逆の方向には回転しないクラッチであり、図２では、時計方向には回転するが、反時計方向には回転しない。
【００３４】
また、紙幣を収納する空間は、固定底面１１１と、固定底面１１１より上面で紙幣下面を支持するように懸架された底面ベルト８０７と、押板８０６と、分離・スタックガイド８０５と、可動天板１１８と、側壁８１３で形成する。
【００３５】
分離・スタックガイド８０５の上方には、収納される紙幣の進行方向先端部を案内するスタック補助部材８１４が設けられている。このスタック補助部材８１４は、ローラ部８１４ａとＬ字型の羽根部８１４ｂと羽根部８１４ｂの先端に所定角度回転可能に接続された可動先端部８１４ｃとを備えて構成され、図示しないスタック補助部材回転制御部により回転を制御される。スタック補助部材８１４は、ローラ部８１４ａの外周面が分離・スタックガイド８０５の紙幣案内面から上方への延長上に位置するように備えられている。
【００３６】
ここで、Ｌ字型の羽根部８１４ｂ及び可動先端部８１４ｃについて説明する。
ローラ部８１４ａから突出した羽根部８１４ｂは、紙幣収納空間側の先端が紙幣収納放出口へ向かってＬ字型に曲がった形状である。羽根部８１４ｂの折曲部から先端までのローラ部８１４ａと対向する内面と、ローラ部８１４ａの外周面とで受収空間を形成し、収納紙幣の先端部は受収空間に案内される。ローラ部８１４ａから羽根部８１４ｂの折曲部までの内面は受収空間の奥端面を形成する紙幣上端ストッパ部であり、収納される紙幣の上端の過剰な進行を規制する。
【００３７】
羽根部８１４ｂの先端には、可動先端部８１４ｃが所定角度回転可能に接続される。可動先端部８１４ｃは、分離・スタックガイド８０５との間にスタック空間を確保し、収納紙幣の上端部を受収空間に案内する。
【００３８】
次に、図１に示した紙幣収納放出庫８の紙幣収納動作について図４を用いて述べる。
紙幣収納放出庫８に収納する紙幣を、図示しない駆動モータにより回転するスタック・フィードローラ８０１とバックアップローラ８０２間に、続いて、スタック・フィードローラ８０１とスタック方向に回転するゲートローラ８０３間に送り込み、分離・スタックガイド８０５に沿って紙幣収納放出庫８に取込む。紙幣を取込む際、ブラシローラ８０４が紙幣の下端を集積方向に掻き出すことにより続いて取込まれる紙幣との干渉を防止する。
【００３９】
透過センサ８８８ａ、８８８ｂの光は取込んだ紙幣により遮へいされるが、取込んだ紙幣の量が少ない内は、ブラシローラ８０４が紙幣を掻き出すことができるため、短い時間で光の遮へいを回避できる。
【００４０】
しかし、紙幣を取込み続けると、次第に紙幣の堆積枚数が多くなりブラシローラ８０４が紙幣を掻き出すことができなくなる。そのため、透過センサ８８８ａ、８８８ｂの光の遮へい時間が長くなる。
【００４１】
透過センサ８８８ａ、８８８ｂの光の遮へい時間が所定時間以上になった場合、押板８０６と底面ベルト８０７は図示せぬ金庫外の駆動源により一体となって動作し、収納紙幣を分離・スタックガイド８０５から遠ざける方向に運ぶ。この動作により、取込んだ紙幣と収納済みの紙幣は干渉しない。
【００４２】
さらにこの時、上部紙幣支持部材８１２は図１中で左回りに回転する。上部紙幣支持部材８１２は分離・スタックガイド８０５の上部と入り組むように配置しているため、分離・スタックガイド８０５に沿いながら取り込まれる紙幣の上端は、やがて回転する上部紙幣支持部材８１２に支持される。
【００４３】
また、上部紙幣支持部材８１２のほぼ真下に配置された下部紙幣支持部材８０９は図１中で右回りに回転する。そのため、紙幣下端は下部紙幣支持部材８０９に支持される。このように収納済み紙幣はその上下端部が支持されることで、立位状態を維持する。
【００４４】
幅方向に大きく偏移した紙幣を紙幣収納放出庫８に取込む場合について説明する。幅方向に偏移した紙幣は、図５に示すように、幅方向端部が分離・スタックガイド８０５の紙幣の側端案内面に沿って紙幣を一旦変形させられる。分離・スタックガイド８０５の紙幣の側端案内面は、収納時の紙幣進行方向に向かって幅が狭くなる構成となっている。その後、変形させられた紙幣は、スタック・フィードローラ８０１とゲートローラ８０３間の挟持から開放される際に発生する紙幣の復元力を利用して偏移を修正する。
【００４５】
また、図５に示すように、紙幣の取込放出口側における側壁８１３の先端部間の幅は分離・スタックガイド８０５の幅と等しいが、取込放出口側から離れるに従って幅が狭くなる形状を持っている。
【００４６】
図１８に示すように、ブラシローラ８０４が側壁８１３の斜面部と接触することで、ブラシローラ８０４は図１８中の矢印の方向へ変形しながら回転する。紙幣収納放出庫８に取込まれた紙幣が偏移しているとき、紙幣の収納空間幅より偏移した部分が側壁８１３の斜面部とブラシローラ８０４の間に挟まれながら紙幣は収納方向に送られる。この際、ブラシローラ８０４と紙幣とのあいだの摩擦力により斜面部に沿って紙幣の偏移をさらに修正できる。
【００４７】
このように、幅方向に大きく偏移した紙幣は、紙幣収納放出庫８にて二つの段階を経て偏移修正されるため、偏移の修正量を大きくすることができる。
【００４８】
次に、図２に示した収納放出庫１１の紙幣収納動作を図４を用いて説明する。
収納放出庫１１に収納する紙幣を、図示せぬ駆動モータにより回転するスタック・フィードローラ８０１とバックアップローラ８０２間に、続いて、スタック・フィードローラ８０１とスタック方向に回転するゲートローラ８０３間に送り込み、分離・スタックガイド８０５に沿って収納放出庫１１に取込む。紙幣を取込む際、ブラシローラ８０４が紙幣の下端を集積方向に掻き出すことにより続いて取込まれる紙幣との干渉を防止する。
【００４９】
ここで、サイズの異なる紙幣を収納する際の収納放出庫１１の紙幣収納動作について述べる。
【００５０】
まず、小さいサイズの紙幣を収納する場合について述べる。図示しないセンサによって小さいサイズの紙幣が収納放出庫１１に搬送されることを検知する。小さいサイズ紙幣を検知すると、スタック補助部材回転制御部はスタック補助部材８１４を小さいサイズ紙幣に対応する回転位置となるよう制御する。スタック補助部材８１４は、紙幣上端ストッパ部と紙幣収納口との距離が紙幣長さに所定の長さを加えた長さとなるように制御される。
【００５１】
スタックフィードローラ８０１とゲートローラ８０３とで挟持され、収納される紙幣は、挟持から開放された後にスタック空間に飛び出し、上端が紙幣上端ストッパ部に規制される。上述のようにスタック補助部材８１４は小さいサイズの紙幣に対応する回転位置となるよう制御されているため、スタック空間に飛び出した紙幣は上端部が受収空間内に案内され、紙幣上端ストッパ部によって上端を規制されて立位でスタック空間に収納される。
【００５２】
スタック空間に収納された紙幣は、立位のまま集積空間へ集積される。
【００５３】
次に大きいサイズの紙幣を収納する場合について述べる。図示しないセンサによって大きいサイズの紙幣が収納放出庫１１に搬送されることを検知する。大きいサイズ紙幣を検知すると、スタック補助部材回転制御部はスタック補助部材８１４を大きいサイズ紙幣に対応する回転位置となるよう制御する。スタック補助部材８１４は、紙幣上端ストッパ部と紙幣収納口との距離が紙幣長さに所定の長さを加えた長さとなるように制御される。
【００５４】
スタックフィードローラ８０１とゲートローラ８０３とで挟持され、収納される紙幣は、挟持から開放された後にスタック空間に飛び出し、上端が紙幣上端ストッパ部に規制される。上述のようにスタック補助部材８１４は大きいサイズの紙幣に対応する回転位置となるよう制御されているため、スタック空間に飛び出した紙幣は上端部が受収空間内に案内され、紙幣上端ストッパ部によって上端を規制されて立位でスタック空間に収納される。
スタック空間に収納された紙幣は、立位のまま集積空間へ集積される。
このように本実施例によれば、一つの収納放出庫１１にサイズの異なる紙幣を混在して収納することが可能となる。
収納放出庫の放出動作
次に、収納放出庫１１の紙幣分離動作について図２、図３を用いて述べる。紙幣を放出する際には、図３に示すように、ピックアップローラ８１１が分離・スタックガイド８０５から露出する位置まで、図示しない駆動源を用いて、分離・スタックガイド８０５を移動させる。さらに、羽根部８１４ｂが分離・スタックガイド８０５から露出しない位置までスタック補助部材８１４を移動させる。そして、押板８０６と底面ベルト８０７を図示せぬ駆動源にて駆動することで、ピックアップローラ８１１に所定の押圧力がかかるまで収納紙幣を移動させる。続いて、ピックアップローラ８１１およびスタック・フィードローラ８０１を図示せぬ駆動源にて回転させることで、ピックアップローラ８１１に押し付けた紙幣を一枚ずつ分離しながら送り出す。その際、内蔵した１方向クラッチの作用で繰り出し方向には回転しないゲートローラ８０３が紙幣の二枚送りを防止する。
【００５５】
次に、図１に示した紙幣収納放出庫８の紙幣放出動作について図３を用いて述べる。ブラシローラ８０４は前述のように、約半周分のみしかシートを有していない。紙幣を放出する際には、紙幣の分離を阻害しないようにシートが突出しない位相でブラシローラ８０４を停止し保持する。尚、ブラシローラ８０４は１方向クラッチを介してスタック・フィードローラ８０１と連結しているため、紙幣放出時にブラシローラ８０４は回転しない。
【００５６】
続いて分離・スタックガイド８０５を、８０５ａで示す位置に移動させ、押板８０６と底面ベルト８０７を図示せぬ金庫外の駆動源により一体となって動かし、ピックアップローラ８１１に所定の押圧力がかかるまで収納紙幣を移動させる。続いて、ピックアップローラ８１１に押し付けた紙幣を、図示せぬ金庫外の駆動源により回転するピックアップローラ８１１にて一枚ずつ分離する。その際、内蔵した１方向クラッチの作用により繰り出し方向には回転しないゲートローラ８０３で紙幣の２枚送りを防止しながら、スタック・フィードローラ８０１で紙幣を紙幣収納放出庫８の外へ搬送する。紙幣を分離搬送している間、押板８０６と底面ベルト８０７は、ピックアップローラ８１１に所定の押圧力がかかるように制御しながら動き続ける。
【００５７】
本発明の実施例について詳細を述べる。
【００５８】
始めに、紙幣入出金機構１にて紙幣寸法が大きく異なる紙幣を取り扱う場合の問題について述べる。
【００５９】
紙幣入出金機構１にて紙幣を取り扱うためには、紙幣入出金機構１の搬送路の幅を、寸法が異なる紙幣の内で最も幅が大きい紙幣の幅より広くする必要がある。
【００６０】
一方、小さい紙幣の幅に対応して、紙幣収納放出庫８の収納幅を狭くした場合、幅の広い搬送路から幅の狭い紙幣収納放出庫８に紙幣を収納しなくてはならない。しかし、小さい紙幣幅と搬送路幅の差が大きいため、搬送方向に直角な方向へ偏移する量（シフト量）の最大値も大きくなることから、幅の広い搬送路から幅の狭い紙幣収納放出庫８に紙幣を収納することは困難となる。
【００６１】
そのため、紙幣収納放出庫８の収納幅は、搬送路幅と同等（搬送路幅より１０ｍｍ程度狭い）にしなくてはならない。つまり、紙幣収納放出庫８の収納幅と小さい紙幣の幅の差も大きくなる。
【００６２】
因みに、出金庫７は出金のみを行う装置なので、出金庫７の収納幅は出金紙幣寸法に対応して設定すれば良い。
【００６３】
ところで、現金自動取引装置を運用する場合、準備として、紙幣を収納した出金庫７や紙幣収納放出庫８を係員が車などで銀行から現金自動取引装置まで運び、現金自動取引装置内の紙幣入出金機構１に装着する必要がある。ここで、先ほど述べたように紙幣収納放出庫８の収納幅と収納されている紙幣の幅の差が大きい場合、紙幣収納放出庫８を運んでいる際に、図１９に示すように、紙幣収納放出庫８に収納してある紙幣が紙幣と紙幣収納放出庫８の側壁幅の間に入り込み、紙幣を正しく放出できなくなる。
【００６４】
なお、ここで収納幅とは、紙幣搬送路５から紙幣収納放出庫８に搬送されてくる紙幣を収納する空間の幅であり、本実施例では立位集積された紙幣の長手方向の幅である。すなわち、紙幣収納放出庫８の側壁幅がこれに対応する。
【００６５】
次に、本発明の実施例の構造について説明する。本実施例では上記課題を解決するために収納幅調整手段を有する。
以下、図６乃至図１１を用いて収納幅調整手段について説明する。
本実施例の収納幅調整手段は、装着検出手段と側壁幅変更手段とを備えてなる。装着検出手段は、装着部１８に備えられた接触部８１６と紙幣収納放出庫８に設けられた被接触部材８１５とを備えてなる。
【００６６】
紙幣収納放出庫８が装着部１８に装着されるときに、接触部８１６と被接触部材８１５とが接触することによって係合し、装着が検出される。装着が検出されると、側壁幅変更手段によって紙幣収納放出庫の収納空間における側壁幅が変更される。本実施例では、紙幣収納放出庫８に設けられた被接触部材８１５は可動であり、可動側壁８１４とが連結されている。したがって、被接触部材８１５が接触部８１６と係合することで、可動側壁８１４が動かされる。
【００６７】
以下、本実施例の被接触部材８１５と可動側壁８１４の構造を説明する。
図６乃至図９に被接触部材８１５と可動側壁８１４の構成を示す。
図６と図８は共に、係員などが紙幣収納放出庫８を運搬する際に紙幣が不整列にならないように側壁幅が狭くなっている状態を示す。
【００６８】
また、図７と図９は共に、紙幣収納放出庫８が紙幣入出金機構１に装着され、紙幣入出金機構１が運用されている時の状態を示す。この時、側壁幅は幅の大きい搬送路に対応して広くなっているため、搬送されてくる寸法の小さな紙幣を紙幣収納放出庫８に取込むことができる。
【００６９】
可動側壁８１４は図示しないバネにより、運搬時は図６に示す状態にある。
【００７０】
被接触部材８１５は可動側壁８１４と連結している。また、被接触部材８１５は図１０に示すように、斜面８１５ａを持っている。斜面８１５ａは紙幣収納放出庫８の側面中央つまり装着方向に対して中央に設置されており、接触部８１６が横から接触するにつれ押出される構造を持つ。また、被接触部材８１５は斜面を両側に持つため、いずれの方向から押されても可動側壁８１４が同一の動きを行うことができる。
【００７１】
一方、図１１に示すように、接触部８１６は、紙幣入出金機構１側であり、紙幣収納放出庫８を装着する部分である装着部１８に備えられている。また、接触部８１６が被接触部材８１５にのみ接触するように、紙幣収納放出庫８には収納方向に溝がある構造を持つ。装着部１８に紙幣収納放出庫８を装着した状態で接触部８１６が斜面８１５ａと接触し押し出すように、接触部８１６の位置も斜面８１５ａと同様に、装着部１８の側面中央つまり装着方向に対して中央に設置されている。
【００７２】
次に、実際の運用に沿って、本実施例の動作、効果について説明する。
係員が紙幣収納放出庫８に紙幣をセットする場合、また、紙幣収納放出庫８を運搬し、紙幣入出金機構１に装着するまでの紙幣収納放出庫８の状態は図６、図８である。この場合、紙幣収納放出庫８の紙幣収納幅は収納紙幣の寸法に近く、両者の隙間が小さいため、収納紙幣が紙幣収納放出庫８で不整列になることはない。
【００７３】
紙幣収納放出庫８を紙幣入出金機構１に装着すると、図７に示すように、紙幣入出金機構１に備えられている接触部８１６が被接触部材８１５と接触することで、可動側壁８１４が矢印８１９の方向へ回転し、紙幣収納放出庫８の両側に設けられた可動側壁８１４の立位紙幣を支える側の端部の間の距離が長くなり、紙幣収納放出庫８の紙幣収納幅が広くなる。これにより、最大寸法に対応した搬送路で搬送されてくる小サイズ紙幣も安定して紙幣収納放出庫８に取込むことができる。なお、前述のように、接触部８１６と斜面８１５ａは装着部１８および紙幣収納放出庫８の側面中央つまり装着方向に対して中央に設置されているため、紙幣収納放出庫８は紙幣入出金機構１の前面、後面のいずれから装着してもよい。
【００７４】
また、可動側壁８１４は、例えば可動側壁８１４と紙幣収納放出庫８の側面に両端が取り付けられたバネにより図６に示す位置に戻る力が働いているが、可動側壁８１４が収納紙幣に接触している場合には紙幣に支えられる位置で回転が停止する。これにより、紙幣収納放出庫８を紙幣入出金機構１から取り外す際に紙幣収納放出庫８に残っている紙幣を傷つけることがない。
【００７５】
また、紙幣収納放出庫８の側壁幅と紙幣寸法の差が大きい場合、入金紙幣を紙幣収納放出庫８に収納する際に紙幣が紙幣収納放出庫８内で不整列に集積され易くなる。つまり、図１６に示すように、紙幣収納放出庫８に収納している紙幣が片側一方に片寄っている場合、紙幣収納放出庫８の側壁と収納紙幣の隙間が大きくなり、入金紙幣がその隙間に入る恐れがある。これを回避するために、図１６、図１７に示すように、紙幣収納放出庫８にガイドシート８１７を備える。ガイドシート８１７は可撓性の材質からなり、紙幣が収納放出庫８に収納された後や、紙幣を放出する際には、紙幣がこれをなぎ倒す。これにより、紙幣収納放出庫８に搬送されてきた紙幣は、紙幣収納放出庫８の側壁と収納紙幣の隙間に落ち込むことはない。
【００７６】
次に、図に示した本発明の実施例について詳細を述べる。
【００７７】
はじめに、本発明の実施例の構造について説明する。
【００７８】
収納放出庫１１が紙幣入出金機構１からはずれている状態、つまり、係員が紙幣を手詰めする時や収納放出庫１１を車などで運搬する時などは、図２０に示すように、可動底面１１２が固定底面１１１より上方へ突出している。この可動底面１１２が、紙幣を幅方向中央付近に整列保持する整列機構である。このように、底面が階段状の形態をしているため、サイズが異なる紙幣を混在して収納した収納放出庫１１を車などで運搬しても、紙幣が幅方向に大きく移動することがない。従って、収納放出庫１１を紙幣入出金機構１に装着後、安定した分離を行うことができる。
【００７９】
尚、つめ部材１１３は図示しないバネにより矢印１１４aの方向に力を受けており、収納放出庫１１が紙幣入出金機構１からはずれている状態の時には、図２１に示す位置で安定している。また、可動床面１１２は図示しないバネにより矢印１１４ｂの方向に力を受けている。可動底面１１２は、固定底面１１１より上方へ突出している状態で、つめ部１１３aによりロックされている。
【００８０】
収納放出庫１１が紙幣入出金機構１に装着される際には、図２４に示すように、紙幣入出金機構１に固定されている押し部材１１５が相対的に収納放出庫１１内のつめ部材１１３を押す。つめ部材１１３が押し部材１１５に押されると、つめ部１１３bが受け穴１１６に突入する。その際、つめ部１１３ｂのテーパー部分が受け穴１１６と接触し、可動底面１１２は軸１１７を中心に回転する。その結果、図２２、２３に示すように、可動底面１１２は固定底面１１１の下に退避し、可動底面１１２の階段状の角部分が固定底面１１１と同じ高さになり、底面として平面を形成する。これにより、収納放出庫１１が異なるサイズの紙幣を取り込むことを可能とする。
【００８１】
収納放出庫１１が紙幣入出金機構１から再びはずされると、図２０に示すように、つめ部は図示しないバネにより矢印１１４aの方向に移動し、つめ部１１３aが可動底面１１２をロックしている状態で再び安定する。
【００８２】
尚、収納放出庫１１は、図示しないバネにより上下に移動できる可動天板１１８を持つ。可動底面１１２が固定底面１１１より上方に突出し、収納紙幣を上方へ持ち上げても、可動天板１１８が上下に動くことで、紙幣を変形させることがない。
【００８３】
尚、以上に述べた収納放出庫１１は、入金紙幣を収納する入金庫６、出金紙幣を収納する出金庫７、入金紙幣を収納し出金紙幣を放出する入出金庫８、損券などを収納するリジェクト庫９として利用できる。
【００８４】
【発明の効果】
本発明によれば、寸法の大きく異なる紙幣を同一機で扱う装置に装着する紙幣収納放出庫に紙幣を収納する際、また、紙幣がセットされている状態で紙幣収納放出庫を運搬する際に、紙幣の整列性を保つことができる。
【図面の簡単な説明】
【図１】図１は、本発明を備え、単一寸法（一金種用）用の紙幣収納放出庫であって、入金状態を示す側面図である。
【図２】図２は、本発明を備え、多種寸法（多金種用）用の紙幣収納放出庫であって、入金状態を示す側面図である。
【図３】図３は、図1と図２の本発明を備えた紙幣収納放出庫の上面図である。
【図４】図４は、図１の紙幣収納放出庫であって、出金状態を示す側面図である。
【図５】図５は、図１の紙幣収納放出庫であって、紙幣取込口の拡大図である。
【図６】図６は、図１の紙幣収納放出庫であって、収納幅が狭い状態の可動壁の拡大図である。
【図７】図７は、図１の紙幣収納放出庫であって、収納幅が広い状態の可動壁の拡大図である。
【図８】図８は、図１の紙幣収納放出庫であって、収納幅が狭い状態の上面図である。
【図９】図９は、図１の紙幣収納放出庫であって、収納幅が広い状態の上面図である。
【図１０】図１０は、図１の紙幣収納放出庫であって、被接触部材の拡大図である。
【図１１】図１１は、図１の紙幣収納放出庫であって、この紙幣収納放出庫が紙幣入出金機構に装着される図である。
【図１２】図１２は、本発明を備えた現金自動取引装置の概観を示す斜視図である。
【図１３】図１３は、現金自動取引装置の制御関係を説明するブロック図である。
【図１４】図１４は、現金自動取引装置に収納される紙幣入出金機構の構成を説明する側面図である。
【図１５】図１５は、紙幣入出金機構の制御関係を説明するブロック図である。
【図１６】図１６は、図１の紙幣収納放出庫の上面図である。
【図１７】図１７は、図１の紙幣収納放出庫であって、ガイドシートの拡大図である。
【図１８】図１８は、図１の紙幣収納放出庫であって、ブラシローラと側壁の斜面部との接触を示す図である。
【図１９】図１９は、図１の紙幣収納放出庫であって、紙幣が紙幣と紙幣収納放出庫の側壁幅の間に入り込んだ状態を示す状面図である。
【図２０】図２０は、図２の紙幣収納放出庫であって、この紙幣収納放出庫が紙幣入出金装置に装着されていない状態を示す斜視図である。
【図２１】図２１は、図２の紙幣収納放出庫であって、この紙幣収納放出庫が紙幣入出金装置に装着されていない状態の可動底面の正面図である。
【図２２】図２２は、図２の紙幣収納放出庫であって、この紙幣収納放出庫が紙幣入出金装置に装着されている状態の可動底面の斜視図である。
【図２３】図２３は、図２の紙幣収納放出庫であって、この紙幣収納放出庫が紙幣入出金装置に装着されている状態の可動底面の正面図である。
【図２４】図２４は、図２の紙幣収納放出庫であって、この紙幣収納放出庫が紙幣入出金装置に装着され様子を説明する斜視図である。
【符号の説明】
１１１…固定底面、１１２…可動底面、１１３…つめ部材、１１５…押し部材、１１６…受け穴、１１８…可動天板。
【図１】
0003914807.tif 000002
【図２】
0003914807.tif 000003
【図３】
0003914807.tif 000004
【図４】
0003914807.tif 000005
【図５】
0003914807.tif 000006
【図６】
0003914807.tif 000007
【図７】
0003914807.tif 000008
【図８】
0003914807.tif 000009
【図９】
0003914807.tif 000010
【図１０】
0003914807.tif 000011
【図１１】
0003914807.tif 000012
【図１２】
0003914807.tif 000013
【図１３】
0003914807.tif 000014
【図１４】
0003914807.tif 000015
【図１５】
0003914807.tif 000016
【図１６】
0003914807.tif 000017
【図１７】
0003914807.tif 000018
【図１８】
0003914807.tif 000019
【図１９】
0003914807.tif 000020
【図２０】
0003914807.tif 000021
【図２１】
0003914807.tif 000022
【図２２】
0003914807.tif 000023
【図２３】
0003914807.tif 000024
【図２４】
0003914807.tif 000025